(57)【要約】【課題】落下を抑制すると共に、振動により生じる力を均一に伝達させることができる天井構造及び施工方法を提供する。【解決手段】一形態に係る天井構造１は、第１方向Ｄ１に延びる第１野縁３と、第２方向Ｄ２に延びる第２野縁４と、第１方向Ｄ１に延びる第３野縁５と、第２方向Ｄ２に延びる第４野縁６と、を備え、第２野縁４の一端及び他端は、第１野縁３の側面に対向し、第３野縁５の一端及び他端は、第２野縁４の側面に対向し、第４野縁６の一端は第３野縁５の側面に対向し、第４野縁６の他端は第１野縁３の側面に対向する。【選択図】図１
2018193684.tif 000002
【特許請求の範囲】
【請求項１】
第１方向に延びる複数の第１野縁と、
２本の前記第１野縁を接続すると共に、前記第１方向に交差する第２方向に延びる複数の第２野縁と、
２本の前記第２野縁を接続すると共に、前記第１方向に延びる第３野縁と、
前記第１野縁及び前記第３野縁を接続すると共に、前記第２方向に延びる第４野縁と、
を備え、
前記第２野縁の一端及び他端は、前記第１野縁の側面に対向し、
前記第３野縁の一端及び他端は、前記第２野縁の側面に対向し、
前記第４野縁の一端は前記第３野縁の側面に対向し、前記第４野縁の他端は前記第１野縁の側面に対向する、
天井構造。
【請求項２】
前記第１野縁と前記第２野縁との交差部分に設けられる金物を備え、
前記金物は、前記第１野縁及び前記第２野縁の交差角度を保持する、
請求項１に記載の天井構造。
【請求項３】
前記金物は、前記第１野縁及び前記第２野縁を上下から挟み込む、
請求項２に記載の天井構造。
【請求項４】
前記金物は、前記第１野縁及び前記第２野縁のそれぞれに嵌合する嵌合部を有し、
前記嵌合部は、前記第１野縁及び前記第２野縁のそれぞれに対して２つ以上設けられており、
前記金物は、２つ以上の前記嵌合部が前記第１野縁及び前記第２野縁のそれぞれに嵌合することにより、前記第１野縁及び前記第２野縁の交差角度を保持する、
請求項２又は３に記載の天井構造。
【請求項５】
前記第１野縁に接続されて前記第２方向に延びる野縁受けを備える、
請求項１〜４のいずれか一項に記載の天井構造。
【請求項６】
第１野縁、第２野縁、第３野縁及び第４野縁を用いて天井を施工する施工方法であって、
第１方向に延びる２本の前記第１野縁の間に、複数の前記第２野縁のそれぞれを前記第１方向に交差する第２方向に延びるように配置する第１工程と、
２本の前記第２野縁の間に、前記第３野縁を前記第１方向に延びるように配置する第２工程と、
前記第１野縁及び前記第３野縁の間に、前記第４野縁を前記第２方向に延びるように配置する第３工程と、
を備え、
前記第１工程では、前記第２野縁の一端及び他端が前記第１野縁の側面に対向するように配置を行い、
前記第２工程では、前記第３野縁の一端及び他端が前記第２野縁の側面に対向するように配置を行い、
前記第３工程では、前記第４野縁の一端が前記第３野縁の側面に対向すると共に前記第４野縁の他端が前記第１野縁の側面に対向するように配置を行う、
施工方法。
【発明の詳細な説明】
【技術分野】
【０００１】
本発明は、複数の野縁を備えた天井構造、及びその施工方法に関する。
【背景技術】
【０００２】
特開平５−２３０９２６号公報には、天井スラブから垂下する吊りボルトに取り付けられる吊持金具によって天井バーの交差部が連結されることにより、方形状の天井グリッドが複数形成された天井構造が記載されている。互いに平行に延びる２本の天井バーの間には、補助天井バーの一端及び他端のそれぞれが固定されている。
【０００３】
また、互いに平行に延びる天井バーと補助天井バーの間には、目地バーの一端及び他端のそれぞれが固定されている。この天井構造では、天井バーから成る複数の方形状の天井グリッドが形成されており、この天井グリッドの中に補助天井バーと目地バーが取り付けられている。
【先行技術文献】
【特許文献】
【０００４】
【特許文献１】特開平５−２３０９２６号公報
【発明の概要】
【発明が解決しようとする課題】
【０００５】
前述した天井構造では、吊りボルトが複数の天井バーの交差部分に連結されており、複数の天井バーの交差部分は、吊持金具及び固定金具によってビス止めで固定されている。
交差部分では、４本の天井バーの端部が固定されている。従って、交差部分で万が一落下が生じた場合、交差部分の全ての野縁が落下する可能性がある。また、前述の天井構造は、吊持金具及び固定金具の断面形状が特殊な形状とされており金具の構成が複雑であるため、汎用性の点において改善の余地がある。
【０００６】
また、前述した天井構造では、吊りボルトの直下に４本の天井バーの交差部分が設けられる。よって、天井バーの位置に応じて吊りボルトの位置が決定されてしまうので、設置位置の自由度の点で改善の余地がある。更に、地震等が生じたときには、振動により生じる力が吊りボルト、吊持金具及び固定金具を介して複数の天井バーの交差部分に直接伝達する。地震等によって生じた力が局所的に伝達すると、天井構造を構成する部材等に局所的に力が付与されることにより、当該部材等が落下する懸念がある。従って、部材等の落下を抑制すると共に、天井構造において、振動により生じる力を均一に伝達させることが求められる。
【０００７】
本発明は、落下を抑制すると共に、振動により生じる力を均一に伝達させることができる天井構造及び施工方法を提供することを目的とする。
【課題を解決するための手段】
【０００８】
本発明に係る天井構造は、第１方向に延びる複数の第１野縁と、２本の第１野縁を接続すると共に、第１方向に交差する第２方向に延びる複数の第２野縁と、２本の第２野縁を接続すると共に、第１方向に延びる第３野縁と、第１野縁及び第３野縁を接続すると共に、第２方向に延びる第４野縁と、を備え、第２野縁の一端及び他端は、第１野縁の側面に対向し、第３野縁の一端及び他端は、第２野縁の側面に対向し、第４野縁の一端は第３野縁の側面に対向し、第４野縁の他端は第１野縁の側面に対向する。
【０００９】
この天井構造は、第１野縁、２本の第１野縁を接続する第２野縁、２本の第２野縁を接続する第３野縁、及び第１野縁と第３野縁を接続する第４野縁を備える。そして、第２方向に延びる第２野縁の一端及び他端が第１野縁の側面に対向し、第１方向に延びる第３野縁の一端及び他端が第２野縁の側面に対向する。第２方向に延びる第４野縁の一端は第３野縁の側面に対向し、第４野縁の他端は第１野縁の側面に対向する。よって、複数の野縁の交差部分では、一方の野縁が通されると共に他方の野縁は分断される。従って、各交差部分において一方の野縁を必ず通すことができるので、交差部分において一方の野縁が落下することを確実に防止できる。すなわち、交差部分の全ての野縁が落下する事態を確実に防止することができるので、天井の落下を抑制することができる。また、第１野縁及び第３野縁は第１方向に延在し、第２野縁及び第４野縁は第２方向に延在する。従って、第１方向及び第２方向の両方に面的に振動により生じる力を分散させることができるので、力を均一に伝達させることができる。
【００１０】
また、前述した天井構造は、第１野縁と第２野縁との交差部分に設けられる金物を備え、金物は、第１野縁及び第２野縁の交差角度を保持してもよい。この場合、第２野縁は、金物によって第１野縁との交差角度が保持される。よって、金物により、第１野縁と、第１野縁に交差する第２野縁とを強固に接続することができるので、第１野縁及び第２野縁に振動により生じる力を面的に分散し、力を第１野縁及び第２野縁の両方に均一に伝達することができる。
【００１１】
また、金物は、第１野縁及び第２野縁を上下から挟み込んでもよい。この場合、金物は、第１野縁及び第２野縁の交差角度を保持して第１野縁及び第２野縁を上下から挟み込む。第２野縁は、金物によって、第１野縁と共に上下から挟み込まれ、更に第１野縁との交差角度が保持されている。よって、第１野縁及び第２野縁は、上下から金物によって挟み込まれるので、面剛性を確保すると共に落下を抑制することができる。
【００１２】
また、金物は、第１野縁及び第２野縁のそれぞれに嵌合する嵌合部を有し、嵌合部は、第１野縁及び第２野縁のそれぞれに対して２つ以上設けられており、金物は、２つ以上の嵌合部が第１野縁及び第２野縁のそれぞれに嵌合することにより、第１野縁及び第２野縁の交差角度を保持してもよい。この場合、２つ以上の嵌合部を第１野縁に嵌合させると共に、２つ以上の嵌合部を第２野縁に嵌合させることにより、第１野縁及び第２野縁の交差角度を保持することができる。よって、第１野縁及び第２野縁の交差角度を保持する構成を、嵌合によって容易に実現することができる。
【００１３】
また、前述した天井構造は、第１野縁に接続されて第２方向に延びる野縁受けを備えてもよい。この場合、野縁受けは、第１野縁が交差する第２方向に延びるため、野縁受けに対する野縁の配置位置の自由度を高めることができる。従って、天井構造の施工を容易に行うことができる。
【００１４】
本発明に係る施工方法は、第１野縁、第２野縁、第３野縁及び第４野縁を用いて天井を施工する施工方法であって、第１方向に延びる２本の第１野縁の間に、複数の第２野縁のそれぞれを第１方向に交差する第２方向に延びるように配置する第１工程と、２本の第２野縁の間に、第３野縁を第１方向に延びるように配置する第２工程と、第１野縁及び第３野縁の間に、第４野縁を第２方向に延びるように配置する第３工程と、を備え、第１工程では、第２野縁の一端及び他端が第１野縁の側面に対向するように配置を行い、第２工程では、第３野縁の一端及び他端が第２野縁の側面に対向するように配置を行い、第３工程では、第４野縁の一端が第３野縁の側面に対向すると共に第４野縁の他端が第１野縁の側面に対向するように配置を行う。
【００１５】
この施工方法は、第１方向に延びる２本の第１野縁の間に複数の第２野縁を配置し、第２方向に延びる２本の第２野縁の間に第３野縁を配置し、第１野縁と第３野縁の間に第４野縁を配置している。そして、これらの配置は、第２方向に延びる第２野縁の一端及び他端が第１野縁の側面に対向し、第１方向に延びる第３野縁の一端及び他端が第２野縁の側面に対向し、第２方向に延びる第４野縁の一端が第３野縁の側面に対向し、第４野縁の他端が第１野縁の側面に対向するように行われる。よって、複数の野縁の交差部分では、一方の野縁が通されると共に他方の野縁は分断される。従って、各交差部分において一方の野縁を必ず通すことができるので、交差部分において一方の野縁が落下することを確実に防止できる。すなわち、交差部分の全ての野縁が落下する事態を確実に防止することができるので、天井の落下を抑制することができる。また、第１野縁及び第３野縁は第１方向に延在し、第２野縁及び第４野縁は第２方向に延在する。従って、第１方向及び第２方向の両方に面的に振動により生じる力を分散させることができるので、力を均一に伝達させることができる。
【発明の効果】
【００１６】
本発明によれば、落下を抑制すると共に、振動により生じる力を均一に伝達させることができる。
【図面の簡単な説明】
【００１７】
【図１】実施形態に係る天井構造を示す平面図である。
【図２】図１の天井構造の吊材、野縁受け、及び第１野縁を示す縦断面図である。
【図３】図１の天井構造の第１野縁、第２野縁及び金物の一例を示す斜視図である。
【図４】図１の天井構造の第３野縁、第４野縁及び金物の一例を示す斜視図である。
【発明を実施するための形態】
【００１８】
以下では、図面を参照しながら本発明に係る天井構造及び施工方法の実施形態について説明する。図面の説明において同一又は相当する要素には同一の符号を付し、重複する説明を適宜省略する。
【００１９】
図１に示されるように、本実施形態に係る天井構造１は、スラブＳから吊り下げられた複数の吊材Ｔと、吊材Ｔが支持すると共に建物の天井を構成する複数の天井面材８とを備えている。天井構造１は吊り天井を構成している。また、天井構造１は、野縁受け２、第１野縁３、第２野縁４、第３野縁５及び第４野縁６を備える。野縁受け２、第１野縁３、第２野縁４、第３野縁５及び第４野縁６は、例えばスチール製である。
【００２０】
野縁受け２は、複数の吊材Ｔに接続されると共に、例えば一定間隔ごとに配置されている。吊材Ｔが設けられる位置は、例えば、第１野縁３、第２野縁４、第３野縁５及び第４野縁６を避けた位置とされている。この場合、吊材Ｔが設けられる位置は、第１野縁３、第２野縁４、第３野縁５及び第４野縁６に囲まれた領域（天井面材８の直上）とされている。
【００２１】
野縁受け２は、第１野縁３に交差すると共に第１野縁３の上部に接続されている。第１野縁３は、天井構造１の天井面材８に沿って長く延びる、いわゆる通し野縁である。第１野縁３は、第２野縁４、第３野縁５及び第４野縁６のいずれよりも長い。第２野縁４は、２本の第１野縁３を接続すると共に、第１野縁３に交差する方向、且つ野縁受け２に平行な方向に延びている。
【００２２】
天井構造１は、一例として、２種類の金物、すなわち第１金物１０（金物）と第２金物２０とを備える。なお、天井構造１に用いられる金物の種類は、１種類であってもよいし、３種類以上であってもよい。本実施形態において、第１金物１０は、第１野縁３と第２野縁４とを接続する。第２金物２０は、例えば、第１野縁３と第４野縁６、第２野縁４と第３野縁５、及び第３野縁５と第４野縁６、のそれぞれを接続する。
【００２３】
以下では、第１野縁３が延びる方向を第１方向Ｄ１、野縁受け２及び第２野縁４が延びる方向を第２方向Ｄ２として説明する。第１方向Ｄ１及び第２方向Ｄ２は、例えば互いに直交している。野縁受け２、第２野縁４及び第４野縁６は第２方向Ｄ２に延びており、第１野縁３及び第３野縁５は第１方向Ｄ１に延びている。
【００２４】
第３野縁５は、２本の第２野縁４を接続する。すなわち、第３野縁５の一端及び他端のそれぞれが第２野縁４に接続されている。第３野縁５の長さは、例えば、第２野縁４の長さと同一であってもよく、第３野縁５は第２野縁４と同一の部材であってもよい。また、第３野縁５の一端及び他端が第２野縁４の中点位置に接続されていてもよく、第３野縁５は２本の第１野縁３の中間位置に配置されていてもよい。
【００２５】
第４野縁６は第１野縁３と第３野縁５を接続し、第４野縁６の一端は第１野縁３に接続され、第４野縁６の他端は第３野縁５に接続されている。第４野縁６の長さは、例えば、第２野縁４の長さ、又は第３野縁５の長さの半分であってもよい。また、第４野縁６の一端は第３野縁５の中点に接続されていてもよく、第４野縁６は２本の第２野縁４の中間位置に配置されていてもよい。
【００２６】
第１野縁３、第２野縁４、第３野縁５及び第４野縁６の高さは、例えば、互いに同一である。また、第１野縁３、第２野縁４、第３野縁５及び第４野縁６は、同一平面内に配置されていてもよい。例えば、第１野縁３、第２野縁４、第３野縁５及び第４野縁６は、共に、天井面材８にビス止めされている。また、第１野縁３、第２野縁４、第３野縁５及び第４野縁６は、タッカー等、ビス止め以外の手段によって天井面材８に固定されてもよい。
【００２７】
天井面材８は、例えば正方形状とされている。天井面材８は、ポリエステル製の不織布基材を備えた天井材であってもよい。この場合、従来の天井材よりも軽量化することが可能である。また、天井面材８は、膜状又は繊維状の天井材であってもよい。天井面材８が軽量化されている場合には、万が一地震等で天井面材８が落下しても天井面材８の落下に対する安全性が高められる。また、天井面材８の重量は石膏ボードの重量より軽くてもよい。
【００２８】
図２に示されるように、吊材Ｔは、野縁取付金物７によって野縁受け２に連結される。例えば、吊材Ｔは、その下端にボルト部Ｔ１を備える。ボルト部Ｔ１が野縁取付金物７を貫通してナットで野縁取付金物７（後述する上面部７ａの下部）に固定されることにより、吊材Ｔは野縁取付金物７に連結される。
【００２９】
野縁取付金物７は、例えば、ボルト部Ｔ１が貫通する四角形状の上面部７ａと、上面部７ａの一辺から下方に折り曲げられた第１側面部７ｂと、第１側面部７ｂに平行に延びる第２側面部７ｃと、第１側面部７ｂの下端及び第２側面部７ｃの下端を接続する下面部７ｄと、を備える。また、第１側面部７ｂと第２側面部７ｃの間には、野縁受け２を挿入するための開口７ｅが形成されている。
【００３０】
例えば、第１側面部７ｂ、第２側面部７ｃ及び下面部７ｄに囲まれた領域に野縁受け２が保持される。また、平面視における吊材Ｔ及び野縁受け２の位置は互いにずれている。これにより、容易に野縁受け２を設置できるので施工性が向上する。また、野縁受け２は、例えば、その断面が長方形状の空洞２ａを備えた閉断面構造を有する角パイプである。野縁受け２を、野縁受け２の長手方向に直交する面で切断したときの断面は、例えば、縦長の長方形状とされている。
【００３１】
このように、野縁受け２が延びる方向に直交する面で野縁受け２を切断したときの断面は、閉断面とされている。よって、振動によって生じる力が野縁受け２から特定の方向に伝達する問題を回避することができるので、力をより均一に伝達させることができる。また、平面視において、吊材Ｔに対する開口７ｅの向きは、隣接する他の野縁取付金物７の開口７ｅの向きと反対側にされている。すなわち、吊材Ｔに対する開口７ｅの位置は、野縁受け２に沿って交互に逆向きとされている。吊材Ｔに対する開口７ｅの位置が野縁受け２に沿って交互に逆向きにされると共に、野縁受け２の断面が閉断面であることにより、野縁受け２と天井に生じるねじれを抑制することができる。
【００３２】
図１及び図３に示されるように、第１金物１０は、第１野縁３及び第２野縁４の交差部分Ｃ１に配置される。なお、図３に示される第１金物１０の形状は、あくまで一例であり、第１金物１０の形状は適宜変更することが可能である。第１金物１０は、例えば、第１野縁３及び第２野縁４の火打ちとしての機能を有する。
【００３３】
第１金物１０は、第１野縁３及び第２野縁４の交差部分Ｃ１を緊結して補強する。交差部分Ｃ１において、第２野縁４は２本に分断されており、各第２野縁４の第２方向Ｄ２の端部４ｂは第１野縁３の側面３ｂに対向している。第１金物１０は、一の第２野縁４の端部４ｂと、第１野縁３と、他の第２野縁４の端部４ｂとを接続する。すなわち、第１金物１０は、第１方向Ｄ１に延びる第１野縁３、及び、分断された２本の第２野縁４を接続する。
【００３４】
第１野縁３を、その長手方向に直交する面で切断したときの断面は、上方に開口した形状とされている。この断面の形状は、例えば、上方に開口するコの字状である。また、第１野縁３は、その上端で内側に折り返された折り返し部３ａを、第１野縁３の幅方向に一対に備える。
【００３５】
第２野縁４、第３野縁５及び第４野縁６の形状についても同様である（図４参照）。すなわち、第２野縁４、第３野縁５及び第４野縁６は、それぞれ、折り返し部４ａ、折り返し部５ａ及び折り返し部６ａを備える。なお、第１野縁３、第２野縁４、第３野縁５及び第４野縁６の形状は、上記に限られず適宜変更可能である。
【００３６】
例えば、第１金物１０は、全体として八角形状とされている。第１金物１０は、第１野縁３及び第２野縁４を上方から覆うと共に側面１４を備えた箱状の第１被覆部１１と、第１野縁３及び第２野縁４に下方から当てられると共に第１被覆部１１を下から塞ぐ第２被覆部１２と、第１被覆部１１から下方に突出し第１野縁３及び第２野縁４のそれぞれに嵌合する嵌合部１３と、を備える。
【００３７】
嵌合部１３は、例えば、第１被覆部１１の８か所に形成されている。各嵌合部１３は、第１野縁３の一対の折り返し部３ａの間、及び第２野縁４の一対の折り返し部４ａの間に嵌合する形状とされている。具体例として、嵌合部１３は、左右両側に突出すると共に折り返し部３ａ，４ａの内側（下側）に嵌り込む突出部を左右一対に備えている。
【００３８】
第１野縁３に沿うように４つの嵌合部１３が設けられ、一方の第２野縁４に沿うように２つの嵌合部１３が設けられると共に、他方の第２野縁４に沿うように２つの嵌合部１３が設けられる。また、第１野縁３に嵌合する４つの嵌合部１３のうち、２つは第１被覆部１１の中心から見て一方側に設けられており、他の２つは第１被覆部１１の中心から見て他方側（上記一方側の反対側）に設けられている。
【００３９】
第２被覆部１２は、各嵌合部１３が第１野縁３及び第２野縁４のそれぞれに嵌合した状態で第１野縁３、第２野縁４及び第１被覆部１１を下方から被覆する。第２被覆部１２の平面形状は、例えば、第１被覆部１１の平面形状と同様とされており、第２被覆部１２の各辺及び第１被覆部１１の各辺には、ビスを打ち込むための突出部１２ａ，１１ａがそれぞれ設けられている。各突出部１２ａ，１１ａが上下に位置合わせされた状態で突出部１２ａ，１１ａにビスが打ち込まれることにより、第１被覆部１１に第２被覆部１２が固定される。
【００４０】
このように、第１金物１０は、第１野縁３及び第２野縁４を上下から挟み込む第１被覆部１１及び第２被覆部１２を備える。また、少なくとも２つの嵌合部１３が第１野縁３及び第２野縁４のそれぞれに嵌合することにより、第１野縁３及び第２野縁４の回転が抑制されると共に、第１野縁３及び第２野縁４の交差角度が、例えば直角に保持される。
【００４１】
図１及び図４に示されるように、第２金物２０は、第１野縁３及び第４野縁６の交差部分Ｃ２、第２野縁４及び第３野縁５の交差部分Ｃ３、並びに、第３野縁５及び第４野縁６の交差部分Ｃ４、のそれぞれに配置される。すなわち、第２金物２０は、第１野縁３及び第２野縁４の交差部分Ｃ１以外の交差部分Ｃ２，Ｃ３，Ｃ４のそれぞれに配置される。
【００４２】
交差部分Ｃ２においては第４野縁６が２本に分断されており、交差部分Ｃ３においては第３野縁５が２本に分断されており、交差部分Ｃ４においては第４野縁６が２本に分断されている。交差部分Ｃ２においては第１野縁３が通されており、交差部分Ｃ３においては第２野縁４が通されており、交差部分Ｃ４においては第３野縁５が通されている。第２金物２０は、交差部分Ｃ２で第１方向Ｄ１に延びる第１野縁３と２本の第４野縁６を接続し、交差部分Ｃ３で第２方向Ｄ２に延びる第２野縁４と２本の第３野縁５を接続し、交差部分Ｃ４で第１方向Ｄ１に延びる第３野縁５と２本の第４野縁６を接続する。
【００４３】
図４は、第３野縁５及び第４野縁６の交差部分Ｃ４を接続する第２金物２０を示している。この図４と同様に、各第２金物２０は、交差部分Ｃ２及び交差部分Ｃ３においても各野縁３，４，５，６を接続している。第２金物２０の形状は、あくまで一例であり適宜変更することが可能である。第２金物２０の形状を交差部分ごとに変更することも可能である。各第４野縁６の第２方向Ｄ２の端部６ｂは、第３野縁５の側面５ｂに対向している。第２金物２０は、一の第４野縁６の端部６ｂと、第３野縁５と、他の第４野縁６の端部６ｂとを接続する。
【００４４】
例えば、第２金物２０は、全体として長方形状とされている。第２金物２０は、第３野縁５及び第４野縁６を上方から覆う被覆部２１と、被覆部２１から下方に突出し第３野縁５及び第４野縁６のそれぞれに嵌合する嵌合部２３と、を備える。例えば、嵌合部２３は、被覆部２１の４箇所に形成されており、各嵌合部２３の形状は前述した嵌合部１３の形状と同様であってもよい。
【００４５】
第３野縁５に沿うように２つの嵌合部２３が第３野縁５に嵌合すると共に、各第４野縁６に対して１つの嵌合部２３が嵌合する。第３野縁５に嵌合する２つの嵌合部２３のうち、１つは被覆部２１の中心から見て一方側に設けられており、他方は被覆部２１の中心から見て他方側（上記一方側の反対側）に設けられている。本実施形態において、第２金物２０は、各野縁３，４，５，６を上下から挟み込む形状とはされておらず、第２金物２０は、各野縁３，４，５，６を接続して力を伝達させる機能を有する。第２金物２０は、材軸方向、すなわち接続されている野縁が延びる方向に力を伝える機能を有する。
【００４６】
次に、第１〜第４野縁３，４，５，６に金物１０，２０を取り付けて各野縁３，４，５，６を接続し、天井構造１を施工する施工方法について説明する。まず、スラブＳに吊材Ｔを吊り下げて吊材Ｔに野縁取付金物７を介して野縁受け２を配置する。このとき、第２方向Ｄ２に延びるように野縁受け２を配置して、野縁受け２に第１野縁３を接続する。
【００４７】
また、第１方向Ｄ１に延びる複数本の第１野縁３が設けられた状態において、２本の第１野縁３の間に、複数の第２野縁４のそれぞれを第２方向Ｄ２に延びるように配置する（第１工程）。そして、２本の第２野縁４の間に第３野縁５を第１方向Ｄ１に延びるように配置して（第２工程）、第１野縁３と第３野縁５の間に第４野縁６を第２方向Ｄ２に延びるように配置する（第３工程）。
【００４８】
なお、前述したように、交差部分Ｃ１では２本の第２野縁４が分断され、交差部分Ｃ２，Ｃ４では２本の第４野縁６が分断され、交差部分Ｃ３では２本の第３野縁５が分断されるように、各野縁３，４，５，６の配置が行われる。すなわち、前述の第１工程では、第２野縁４の一端及び他端が第１野縁３の側面に対向するように配置を行い、第２工程では、第３野縁５の一端及び他端が第２野縁４の側面に対向するように配置を行い、第３工程では、第４野縁６の一端が第３野縁５の側面に対向すると共に第４野縁６の他端が第１野縁３の側面に対向するように配置を行う。
【００４９】
このとき、分断される各野縁５，６の配置位置を適宜調整することが可能となるため、施工を容易に行うことが可能である。なお、このとき各野縁３，４，５，６を天井面材８にビス止めしてもよい。
【００５０】
また、第１金物１０の嵌合部１３を第１野縁３及び第２野縁４に上から嵌合し、上下から第１被覆部１１及び第２被覆部１２で第１野縁３及び第２野縁４を挟み込むことにより、第１野縁３及び第２野縁４に第１金物１０を固定する（第１金物を固定する工程）。そして、第２金物２０の各嵌合部２３を各野縁３，４，５，６に上から嵌合させる。これにより、各嵌合部２３で各野縁３，４，５，６を固定して各野縁３，４，５，６の接続を行う（第２金物を固定する工程）。以上の工程を経て天井構造１の施工が完了する。なお、前述した各工程の順序は、上記に限定されず適宜変更可能である。
【００５１】
次に、本実施形態に係る天井構造１及び施工方法の作用効果について説明する。
【００５２】
本実施形態に係る天井構造１及び施工方法は、第１野縁３、２本の第１野縁３を接続する第２野縁４、２本の第２野縁４を接続する第３野縁５、及び第１野縁３と第３野縁５を接続する第４野縁６を備える。そして、第２方向Ｄ２に延びる第２野縁４の一端及び他端が第１野縁３の側面に対向し、第１方向Ｄ１に延びる第３野縁５の一端及び他端が第２野縁４の側面に対向する。第２方向Ｄ２に延びる第４野縁６の一端は第３野縁５の側面に対向し、第４野縁６の他端は第１野縁３の側面に対向する。
【００５３】
よって、複数の野縁３，４，５，６の交差部分Ｃ１，Ｃ２，Ｃ３，Ｃ４では、一方の野縁が通されると共に他方の野縁は分断される。従って、各交差部分Ｃ１，Ｃ２，Ｃ３，Ｃ４において一方の野縁を必ず通すことができるので、交差部分Ｃ１，Ｃ２，Ｃ３，Ｃ４において一方の野縁が落下することを確実に防止できる。
【００５４】
すなわち、交差部分Ｃ１，Ｃ２，Ｃ３，Ｃ４の全ての野縁が落下する事態を確実に防止することができるので、天井の落下を抑制することができる。また、第１野縁３及び第３野縁５は第１方向Ｄ１に延在し、第２野縁４及び第４野縁６は第２方向Ｄ２に延在する。従って、第１方向Ｄ１及び第２方向Ｄ２の両方に面的に振動により生じる力を分散させることができるので、力を均一に伝達させることができる。
【００５５】
また、天井構造１は、第１野縁３と第２野縁４との交差部分Ｃ１に設けられる第１金物１０を備え、第１金物１０は、第１野縁３及び第２野縁４の交差角度を保持する。この場合、第２野縁４は、第１金物１０によって第１野縁３との交差角度が保持される。よって、第１金物１０により、第１野縁３と、第１野縁３に交差する第２野縁４とを強固に接続することができる。従って、第１野縁３及び第２野縁４に振動により生じる力を面的に分散し、力を第１野縁３及び第２野縁４の両方に均一に伝達することができる。
【００５６】
また、第１金物１０は、第１野縁３及び第２野縁４を上下から挟み込む。よって、第１金物１０は、第１野縁３及び第２野縁４の交差角度を保持して第１野縁３及び第２野縁４を上下から挟み込む。第２野縁４は、第１金物１０によって、第１野縁３と共に上下から挟み込まれ、更に第１野縁３との交差角度が保持されている。よって、第１野縁３及び第２野縁４は、上下から第１金物１０によって挟み込まれるので、面剛性を確保すると共に落下を抑制することができる。
【００５７】
また、第１金物１０は、第１野縁及び第２野縁のそれぞれに嵌合する嵌合部１３を有し、嵌合部１３は、第１野縁３及び第２野縁４のそれぞれに対して２つ以上設けられており、第１金物１０は、２つ以上の嵌合部１３が第１野縁３及び第２野縁４のそれぞれに嵌合することにより、第１野縁３及び第２野縁４の交差角度を保持してもよい。この場合、２つ以上の嵌合部１３を第１野縁３に嵌合させると共に、２つ以上の嵌合部１３を第２野縁４に嵌合させることにより、第１野縁３及び第２野縁４の交差角度を保持することができる。よって、第１野縁３及び第２野縁４の交差角度を保持する構成を、嵌合によって容易に実現することができる。
【００５８】
また、天井構造１は、第１野縁３に接続されて第２方向Ｄ２に延びる野縁受け２を備える。野縁受け２は、第１野縁３が交差する第２方向Ｄ２に延びるため、野縁受け２に対する野縁の配置位置の自由度を高めることができる。従って、天井構造１の施工を容易に行うことができる。また、第１野縁３の上に野縁受け２が設けられることにより、天井の面外方向への変形を抑制することができる。
【００５９】
また、第１野縁３に接続される野縁受け２は、第１野縁３、第２野縁４、第３野縁５及び第４野縁６を避けた位置で吊り下げられる。よって、野縁受け２に対する野縁の配置位置の自由度を高めることができるので、天井構造１の施工を容易に行うことができる。
【００６０】
更に、本実施形態では、通し野縁である第１野縁３に２本の第２野縁４を第１金物１０によって接続し、第１野縁３に２本の第４野縁６を第２金物２０によって接続する。そして、第２野縁４に２本の第３野縁５を第２金物２０によって接続し、第３野縁５に２本の第４野縁６を第２金物２０によって接続する。
【００６１】
よって、交差部分Ｃ１，Ｃ２，Ｃ３，Ｃ４のうち、通し野縁である第１野縁３と第２野縁４を第１金物１０で接続する交差部分Ｃ１の強度が最も強い。また、通し野縁である第１野縁３と第４野縁６を第２金物２０で接続する交差部分Ｃ２、及び、通し野縁に接続された第２野縁４と第３野縁５を第２金物２０で接続する交差部分Ｃ３の強度が２番目に強い。そして、第３野縁５と第４野縁６を第２金物２０で接続する交差部分Ｃ４の強度が最も弱い。すなわち、交差部分Ｃ１の耐力が最も高く、交差部分Ｃ２，Ｃ３の耐力が２番目に高く、交差部分Ｃ４の耐力が最も低い。
【００６２】
このように、天井構造１では、交差部分Ｃ１，Ｃ２，Ｃ３，Ｃ４の間で強度（耐力）に差を設けているので、万が一地震等によって接続が外れる場合であっても、交差部分Ｃ４の接続が優先的に外れることにより、第４野縁６のみが第１野縁３からぶら下がるだけとなる。よって、野縁３，４，５，６及び天井面材８の落下を抑制することができる。従って、天井構造１の部材等の脱落をより確実に回避することができる。
【００６３】
更に、第１金物１０は、第１方向Ｄ１に延びる１本の第１野縁３と２本の第２野縁４を接続する。従って、万が一地震等が生じても、交差部分Ｃ１で通されている第１野縁３、及び第１金物１０に下から支えられる第２野縁４の脱落をより確実に防止できる。この第２野縁４に第３野縁５の両端が接続されているので、第３野縁５の両端の脱落を確実に防止できる。そして、第４野縁６については、少なくとも第１野縁３に接続されている側の端部の脱落は確実に防止される。更に、第４野縁６の第３野縁５側の端部が脱落しても、第４野縁６の第１野縁３側、及び他の野縁３，４，５が天井面材８に固定されていることにより、全ての野縁及び天井の落下は確実に阻止される。
【００６４】
ところで、第２方向Ｄ２に延びる複数の第４野縁６は、他の野縁３，４，５と比較して、節の数が多いので強度が弱い。しかしながら、野縁受け２は、第４野縁６が延びる方向である第２方向Ｄ２に沿うように設置される。すなわち、野縁受け２は、第４野縁６と平行に延びている。よって、第２方向Ｄ２に入力される力を野縁受け２に伝達させることにより、強度が弱い第４野縁６を補完することができる。
【００６５】
以上、本発明に係る天井構造及び施工方法の実施形態について説明したが、本発明は、前述の実施形態に限定されるものではなく、各請求項に記載した要旨を変更しない範囲で変形し、又は他のものに適用したものであってもよい。すなわち、本発明は、各請求項の要旨を変更しない範囲で種々の変形が可能である。
【００６６】
例えば、前述の実施形態では、断面が縦長の長方形状とされた野縁受け２について説明したが、野縁受けの断面形状は適宜変更可能であり、野縁の断面形状も適宜変更可能である。また、野縁受けを吊る吊材及び野縁取付金物の形状、大きさ、数、材料及び配置態様については適宜変更可能である。更に、第１金物及び第２金物の形状、大きさ、数、材料及び配置態様についても適宜変更可能である。
【００６７】
また、前述の実施形態では、ポリエステル製の不織布基材を備え、重量が石膏ボードの重量よりも軽い天井面材８を例示したが、天井面材の形状、大きさ、数、材料及び配置態様についても適宜変更可能である。
【００６８】
また、前述の実施形態では、交差部分Ｃ１に第１金物１０が設けられ、交差部分Ｃ２，Ｃ３，Ｃ４のそれぞれに第２金物２０が設けられる例について説明した。しかしながら、本発明で用いられる金物の種類は、１種類又は３種類以上であってもよい。また、交差部分ごとに金物の種類を適宜変更してもよい。
【００６９】
また、前述の実施形態では、突出部１２ａ，１１ａにビスが打ち込まれることにより、第１被覆部１１に第２被覆部１２が固定される第１金物１０について説明した。しかしながら、第１金物１０の組み立て手段はビス以外のものであってもよい。例えば、折り曲げ、又は嵌合によって、第１金物１０が組み立てられてもよい。
【００７０】
また、第１金物１０及び第２金物２０の配置態様については適宜変更可能である。例えば、全ての交差部分に第１金物１０が設けられてもよいし、全ての交差部分に第２金物２０が設けられてもよい。全ての交差部分に第１金物１０が設けられる場合には強度が一層高い天井構造を構成でき、全ての交差部分に第２金物２０が設けられる場合には一層軽量な天井構造を構成できる。更に、前述の実施形態のように、交差部分の一部に第１金物１０が設けられると共に、交差部分の残部に第２金物２０が設けられる場合には、強度を高める効果、及び軽量化の効果の両方を実現させることができる。
【符号の説明】
【００７１】
１…天井構造、２…野縁受け、２ａ…空洞、３…第１野縁、３ａ，４ａ，５ａ，６ａ…折り返し部、３ｂ，５ｂ…側面、４…第２野縁、４ｂ，６ｂ…端部、５…第３野縁、６…第４野縁、７…野縁取付金物、７ａ…上面部、７ｂ…第１側面部、７ｃ…第２側面部、７ｄ…下面部、７ｅ…開口、８…天井面材、１０…第１金物（金物）、１１…第１被覆部、１１ａ，１２ａ…突出部、１３，２３…嵌合部、１４…側面、２０…第２金物、２１…被覆部、Ｃ１，Ｃ２，Ｃ３，Ｃ４…交差部分、Ｄ１…第１方向、Ｄ２…第２方向、Ｓ…スラブ、Ｔ…吊材、Ｔ１…ボルト部。
【図１】
2018193684.tif 000003
【図２】
2018193684.tif 000004
【図３】
2018193684.tif 000005
【図４】
2018193684.tif 000006